(57)【要約】  本発明は、部材（３０）の穴（３４）からピン（３２）を引き抜くための多部分構成のピン引抜き器（１０）であって、穴（３４）から引き抜くときにピン（３２）の傾くのを確実に防止するために、部材（３０）で支えられるピン引抜き器（１０）の保持具（１６）が、部材（３０）に対してピン引抜き器（１０）を位置合せするための手段を備えているものに関する。
2010523347.tif 000002
【特許請求の範囲】
【請求項１】
部材（３０）の穴（３４）からピン（３２）またはボルトを引き抜くための多部品構成のピン引抜き器（１０）であって、ねじを備えた引張棒（１２）と、引張棒（１２）に対して垂直に位置合せされた平らな当接面（２２）を備えて引張棒（１２）を受容する保持具（１６）とを含み、引張棒（１２）が、引き出すべきピン（３２）と嵌めあい結合で結合可能であり、かつピン（３２）と結合された状態で、保持具（１６）で支えられるナット（２０）を回すことによって引張方向（Ｚ）に移動可能であるものにおいて、保持具（１６）が、ピン引抜き器（１０）を位置合せするための手段として鉤状耳板部（２４）を有するピン引抜き器。
【請求項２】
耳板部（２４）が、部材（３０）に設けられる溝（３６）内に嵌挿可能である請求項１記載のピン引抜き器。
【請求項３】
保持具（１６）に設けられる耳板部（２４）が、引張方向（Ｚ）に対して垂直に延在している請求項１または２記載のピン引抜き器。
【請求項４】
耳板部（２４）が、ピン（３２）を受容するための開口部（２６）を有する請求項１、２または３記載のピン引抜き器。
【請求項５】
引張棒（１２）が２つの異なるねじ（１８、１９）を有し、そのうち一方のねじが、嵌めあい結合を形成するためにピン（３２）と螺結合可能である請求項１ないし４のいずれか１つに記載のピン引抜き器。
【発明の詳細な説明】
【技術分野】
【０００１】
本発明は、部材の穴からピンまたはボルトを引き抜くための多部品構成のピン引抜き器であって、ねじを備えた引張棒とこの引張棒を受容する保持具とを含み、部材からピンを引き出すために部材で保持具を支えることができ、引張棒が、引き出すべきピンと結合可能であり、かつピンと結合された状態で、保持具で支えられるナットを回すことによって引張方向に移動可能であるものに関する。
【背景技術】
【０００２】
部材の穴からピンまたはボルトを引き抜くための多部品構成のピン引抜き器は、例えば特許文献１、特許文献２等により一般に知られている。ピンは普通、部材内でしっかり着座しており、一般に摩擦接合によって保持される。ピンはしばしば部材内で同一平面に埋め込まれている。この埋め込まれたピンを引き出すために多部品構成のピン引抜き器が利用される。このピン引抜き器は一般に、引き抜かれるピンと螺結合可能な引張棒を含み、この引張棒は保持具で支えることができ、ピンを部材から引き抜くために力の作用を受けてその軸線方向に沿って移動可能である。ピン引抜きの間、ピン引抜き器の保持具は部材で支えられ、従ってこの部材は引張棒に作用する力用の受け部となる。
【０００３】
ピンを引き抜くとき保持具もしくは引張棒がピンの軸線方向に対して傾くことがあり、そのことからピンを引き出すときに部材の破損を引き起こすことのあることが不利であると判明した。破損は穴開口部領域の口広がりであることがある。この口広がりは補充ピンの嵌挿時にピンと部材との間の摩擦接合を緩めることになり、そのことで部材からのピンの意図しないゆるみが促進されることがある。
【０００４】
引き抜くべきピンが引張棒と螺結合可能である限り、ピンと引張棒との配置が軸線平行でないとの理由から両方の構成要素のうち一方の構成要素のねじ食付き部が摩耗することもあり、場合によっては、引き出すべきピンがもはや部材から除去できなくなる。
【先行技術文献】
【特許文献】
【０００５】
【特許文献１】独国実用新案第１８５３６００号明細書
【特許文献２】独国実用新案第２０２００６０１４１７７号明細書
【発明の概要】
【発明が解決しようとする課題】
【０００６】
そこで本発明の課題は、ピンまたはボルトが引き抜かれる部材の破損を確実に防止することのできる多部品構成のピン引抜き器を提供することである。
【０００７】
それに応じて本発明の他の課題は、嵌めあい結合に関与するピンおよび引張棒の構成要素の摩耗を減らすことである。
【課題を解決するための手段】
【０００８】
この課題は本発明によれば請求項１の特徴による多部品構成のピン引抜き器によって解決される。
【０００９】
部材に対してピン引抜き器を位置合せするための手段を保持具が有するとき、嵌めあい結合に関与するピンおよび引張棒の構成要素が摩耗することもピンの軸線方向に対して引張棒が傾くことも確実に防止できるとの認識が本発明の根底にある。設けられたこの手段により引張棒はピンまたはボルトの軸方向軸線と常に同心的に引張方向に沿って動かされ、傾きによる部材の摩耗を防止することができる。同様に、ピンに対するピン引抜き器の固定位置合せおよび位置決めが設けられていることから、嵌めあい結合はいつでも規定どおり実現できるので、嵌めあい結合を形成するピンおよびピン引抜き器の構成要素の摩耗は確実に防止することができる。
【００１０】
保持具はピン引抜き器を位置合せするための手段として鉤状耳板部を有する。この鉤状耳板部は溝の深さに合う様に調整されているので、この方向に沿っての、ピンの引き出し中にピン引抜き器の位置ずれは確実に防止することができる。
【００１１】
好ましい諸構成は従属請求項に明示されている。
【００１２】
この鉤状耳板部が部材に設けられる溝内にほぼ隙間なく、つまりぴったりと嵌挿可能であることが目的に適っている。従って、鉤状耳板部の壁厚と溝の幅は互いに一致している。その結果、ピン引抜き器の間違いのない位置合せが得られ、そこではピンの中央縦軸線がピン引抜き器の引張方向と一致している。他の有利な１構成では、保持具に設けられる耳板部が引張方向に対して垂直に延在している。これにより、ピン引抜きの間に保持具が部材に対して位置ずれしないことが可能となる。
【００１３】
特に、ピンの中央軸線に対する部材の傾きは生じない。従って、ピンを引き出すとき穴は破損せず、引き続き嵌挿されるピンは一定した品質で、すなわち同じく信頼性のある摩擦接合で、穴に嵌挿可能である。
【００１４】
本発明の有利な１構成では、耳板部がピンを受容するための開口部を有する。これにより、溝がピンの軸線方向を横切って延びている限り、ピンを挿通することのできる２分割の耳板部が保持具に得られる。引張棒とピンとの間に簡単な嵌めあい結合を実現するために、この引張棒はピンと螺結合可能なねじを有する。これにより、ピンを穴から引き抜くためにピンとピン引抜き器との間に特別確実かつ十分に信頼性のある嵌めあい結合を実現することができる。
【００１５】
本発明が図面を基に説明される。
【図面の簡単な説明】
【００１６】
【図１】多部品構成のピン引抜き器を分解図で示す。
【図２】ピンと螺結合された図１のピン引抜き器を断面図で示す。
【発明を実施するための形態】
【００１７】
すべての図において同じ部材には同じ符号が付けてある。
【００１８】
図１は部材の穴からピンまたはボルトを引き抜くための本発明に係る多部品構成のピン引抜き器１０を分解図で示す。この部材は例えば、出願番号０７０００３８１．９の欧州特許出願から知られているようなガスタービンのロータディスクとすることができる。そのことを指摘することで出願番号０７０００３８１．９の欧州特許出願に開示された対象は本願に明確に組み込まれ、こうして本願の開示の一部である。
【００１９】
ピン引抜き器１０が保持具１６を含み、保持具の開口部１４に引張棒１２を嵌挿することができる。この引張棒１２は少なくとも１つの第１ねじ部１８を備えており、このねじ部にナット２０を螺結合することができる。
【００２０】
保持具１６は開口部１４の他に当接面２２を含み、この当接面はピンを引き抜くべき穴の周囲にピッタリと当接可能である。さらに、保持具１６は部材に対してピン引抜き器１０を位置合せするための手段として鉤状耳板部２４を含み、この耳板部に他の開口部２６が設けられている。鉤状耳板部２４の自由端は引張棒１２の引張方向Ｚに対して垂直に延在している。
【００２１】
引張棒１２はピンとの嵌めあい結合を実現するために設けられた第２部分１９を含む。好ましくはこの部分１９が第２雄ねじを有し、この雄ねじはピンに設けられる同軸な雌ねじと螺結合可能である。
【００２２】
図２は多部品構成のピン引抜き器１０を組立状態で、そしてピン３２と螺結合した状態の横断面図で示す。ピン３２は部材３０内、例えば前記欧州特許出願により公知のロータディスク内に埋め込まれており、周方向での位置ずれに備えて密封要素を固定するのに役立つ。
【００２３】
ピン３２が穴３４内に着座しており、この穴は部材３０に設けられた片側に開口した溝３６内を延びている。ピン３２の端面３８に雌ねじ４０が設けられており、この雌ねじは引張棒１２の第２部分１９に設けられる第２雄ねじと螺結合可能である。保持具１６の鉤状耳板部２４がほぼ隙間なく溝３６に嵌挿されており、耳板部２４に設けられる開口部２６がピン３２を横から包み込む。開口部２６の選択された幅はピン３２の外径に一致している。耳板部２４の、開口部２６の側面に並ぶ両方の脚部の所定の長さのゆえに、引張棒１２の回転軸線をピン３２のねじ４０の対称軸線と平行且つ同一に位置決めすることが可能である。これによりピン３２のねじ４０に捩じ込むとき、引張棒１２の傾きは確実に防止されているので、第２部分１９に設けられる雄ねじもピン３２の雌ねじ４０も破損することはない。こうして部材が互いに位置合せされているので引張棒１２は特別簡単にピン３４に捩じ込むことができる。所要の捩込み深さに達した後、引張棒１２はナット２０により、ナット２０を引張棒１２に対して捩じることによって引張方向に動かすことができ、ナット２０は保持具１６で支えられ、保持具１６は部材３０で支えられる。ナット２０を回すとき引張棒１２が一緒に回るのを防止するために、引張棒は引張棒１２の頭部４４に装着されるレンチによって固定することができる。
【００２４】
部材３０内での保持具１６の嵌めあい結合式着座のゆえに、ピン３０の引き抜き中も保持具１６の傾きは確実に防止することができる。こうして部材３０の穴３５の破損は確実に排除することができ、引き続き嵌挿される補充ピンは最初に嵌挿されたピンと同様に確実かつ隙間なく保持される。
【符号の説明】
【００２５】
１０  ピン引抜き器
１２  引張棒
１６  保持具
１８、１９  ねじ
２０  ナット
２２  当接面
２４  耳板部
２６  開口部
３０  部材
３２  ピン
３４  穴
Ｚ  引張方向
【図１】
2010523347.tif 000003
【図２】
2010523347.tif 000004
【国際調査報告】
2010523347.tif 000005
2010523347.tif 000006
2010523347.tif 000007
2010523347.tif 000008
2010523347.tif 000009
2010523347.tif 000010